(57)【要約】【課題】本発明は、相手プラグコネクタと安定的に係合できる係合部材を有する電気コネクタを提供することを目的とする。【解決手段】本発明の、相手プラグコネクタが挿入され且つ規制スペースを具備する電気コネクタは、前記相手プラグコネクタを収納するための収納孔と複数の端子溝と当接壁とを有する絶縁性本体と、前記絶縁性本体の端子溝に取り付けられる複数の接触端子と、前記絶縁性本体に取り付けられる弾性の係合部材と、を備える。前記係合部材は、前記規制スペースに位置する係合部と、前記当接壁に対応する当接部と、を有する。前記当接部と係合部とが、異なる面に位置する。前記係合部材の係合部が、挿入方向と直交する係合面において広がって前記相手プラグコネクタと係合可能である。【選択図】図６
2013045767.tif 000002
【特許請求の範囲】
【請求項１】
相手プラグコネクタが挿入され且つ規制スペースを具備する電気コネクタにおいて、
前記相手プラグコネクタを収納するための収納孔、複数の端子溝、及び当接壁を有する絶縁性本体と、
前記絶縁性本体の前記端子溝に取り付けられる複数の接触端子と、
前記絶縁性本体に取り付けられる弾性の係合部材と、
を備え、
前記係合部材は、前記規制スペースに位置する係合部と、前記当接壁に対応する当接部と、を有し、前記当接部と前記係合部とが、異なる面に位置し、前記係合部材の前記係合部が、挿入方向と直交する係合面において広がって前記相手プラグコネクタと係合可能であることを特徴とする電気コネクタ。
【請求項２】
前記絶縁性本体は一対の側壁を有し、前記当接壁が、前記側壁の外表面から窪むことによって形成され、前記各側壁には、前記係合部材の少なくとも一側に位置し、前記係合部材を規制するための阻止部が設けられることを特徴とする請求項１に記載の電気コネクタ。
【請求項３】
前記係合部材には、前記係合部及び当接部の間に連接される連接部が設けられ、前記連接部と前記当接部とは、Ｌ字状の実装部を形成し、前記各側壁には、前記実装部を収納するための実装溝が形成され、前記阻止部が、一対の前記連接部の対向する両側に配置され、前記実装溝が、一対の前記阻止部の間に形成され、前記係合部材の前記実装部を規制することを特徴とする請求項２に記載の電気コネクタ。
【請求項４】
前記電気コネクタは、前記係合部材の前方部に取り付けられ、前記絶縁性本体の前記収納孔と連通する挿入孔が形成される位置決め部材を有し、前記位置決め部材及び前記絶縁性本体にはそれぞれ、互いに係合する突出部と凹溝とが設けられ、前記規制スペースが、前記絶縁性本体と前記位置決め部材との間に形成されることを特徴とする請求項１〜３のうちの何れか一つの請求項に記載の電気コネクタ。
【請求項５】
前記係合部が、前記収納孔の対向する両側に一対配置され、前記係合部が前記係合面で広がる時、一対の前記係合部の間の角度が大きくなることを特徴とする請求項１〜４のうちの何れか一つの請求項に記載の電気コネクタ。
【請求項６】
前記各接触端子は、前記絶縁性本体に固着される固定部と、前記固定部から折れ曲がる連接部と、前記連接部から延在し、前記収納孔に向かって突出する接触部が設けられる弾性の接続部と、を備え、前記係合部材の係合部が、前記接触端子の接触部の前方に配置されることを特徴とする請求項１〜５のうちの何れか一つの請求項に記載の電気コネクタ。
【発明の詳細な説明】
【技術分野】
【０００１】
本発明は、電気コネクタに関し、特に、相手プラグコネクタと係合する係合部材を有する電気コネクタに関するものである。
【背景技術】
【０００２】
従来技術の電気コネクタ組立体は、プラグコネクタと、ソケットコネクタと、を有する。前記ソケットコネクタは、複数の端子溝が形成される絶縁性本体と、前記絶縁性本体の複数の端子溝に取り付けられる複数の弾性の端子と、を備える。各端子は、前記絶縁性本体に固着される固定部と、前記固定部の一端から延びる弾性の接続部と、前記固定部の他端から延在する半田接続部と、を有する。前記接続部には、接触部が設けられる。前記プラグコネクタが、前記ソケットコネクタに挿入される時、前記ソケットコネクタの弾性の接続部が、前記端子溝の内部に向かって圧縮され、プラグコネクタの端子と電気接続する。前記ソケットコネクタには、前記ソケットコネクタから一体に延在される複数の係合部が設けられる。前記ソケットコネクタの係合部は、前記プラグコネクタに形成される係合溝と係合する。
【先行技術文献】
【特許文献】
【０００３】
【特許文献１】中国登録実用新案第２０１８８７２４１号明細書
【発明の概要】
【発明が解決しようとする課題】
【０００４】
従来の係合部は、前記ソケットコネクタから一体に延在されており、長期間使用されると、係合部が破損しやすくなり、相手プラグコネクタと係合できなくなる。
【０００５】
そこで本発明は、上述される従来技術の問題に鑑み、相手プラグコネクタと安定的に係合できる係合部材を有する電気コネクタを提供することを目的とする。
【課題を解決するための手段】
【０００６】
前記目的を達成するために、相手プラグコネクタが挿入され且つ規制スペースを具備する本発明の電気コネクタは、前記相手プラグコネクタを収納するための収納孔と複数の端子溝と当接壁とを有する絶縁性本体と、前記絶縁性本体の端子溝に取り付けられる複数の接触端子と、前記絶縁性本体に取り付けられる弾性の係合部材と、を備える。前記係合部材は、前記規制スペースに位置する係合部と、前記当接壁に対応する当接部と、を有する。前記当接部と係合部とが、異なる面に位置する。前記係合部材の係合部が、挿入方向と直交する係合面において広がって前記相手プラグコネクタと係合可能である。
【発明の効果】
【０００７】
従来技術と比べると、本発明は以下の長所を有する。本発明の相手プラグコネクタが前記電気コネクタから抜き出される時、前記係合部材の当接部が前記絶縁性本体の当接壁に当接する。これにより、係合部材が前記絶縁性本体から外れることを防止できる。このような係合部材は、相手プラグコネクタと安定的に係合できる。
【図面の簡単な説明】
【０００８】
【図１】本発明の電気コネクタ及び相手プラグコネクタの斜視図である。
【図２】図１に示す電気コネクタ及び相手プラグコネクタの組立斜視図である。
【図３】図１に示す電気コネクタの分解斜視図である。
【図４】図３に示す電気コネクタの他の分解斜視図である。
【図５】図１に示す電気コネクタのＡ―Ａ線に沿う断面図である。
【図６】図１に示す電気コネクタの部分の分解斜視図である。
【図７】図２に示す電気コネクタのＢ―Ｂ線に沿う断面図である。
【図８】図２に示す電気コネクタのＣ―Ｃ線に沿う断面図である。
【発明を実施するための形態】
【０００９】
図１及び図２を参照すると、本発明の電気コネクタ１００は、相手プラグコネクタ６００と接続する。前記電気コネクタ１００は、前記相手プラグコネクタ６００を収納するための収納孔１０１と、規制スペース１０３と、を具備する。前記電気コネクタ１００は、絶縁性本体１と、前記絶縁性本体１に取り付けられる複数の接触端子２と、一対の弾性の係合部材４と、位置決め部材３と、ハウジング５と、を備える。
【００１０】
図３及び図４に示すように、前記絶縁性本体１は、一対の側壁１２と、複数の端子溝１１と、を有する。前記各側壁１２の前端部には、当接壁１２２が側壁１２の外表面から窪んで形成される。前記各側壁１２には、前記係合部材４の対向する両側に位置し、前記係合部材４を規制するための一対の阻止部１２３が設けられる。前記各側壁１２には、一対の実装溝１２１が形成される。各実装溝１２１が、一対の前記阻止部１２３の間に形成される。絶縁性本体１の後表面における長さ方向両端部には、一対の凹所１０が形成される。
【００１１】
前記複数の接触端子２は、一対の接地端子２０３と、前記一対の接地端子２０３の間に配置される一対のパワー端子２０２と、前記一対のパワー端子２０２の間に配置される検出端子２０１と、を備える。各接触端子２は、前記絶縁性本体１の端子溝１１に固着される固定部２１と、前記固定部２１から折れ曲がる連接部２２と、前記連接部２２から延在し、前記収納孔１０１に向かって突出する接触部２３１が設けられる弾性の接続部２３と、を備える。前記接地端子２０３の接触部２３１が、前記パワー端子２０２の接触部２３１より、前方に突出し、前記パワー端子２０２の接触部２３１が、前記検出端子２０１の接触部２３１より、前方に突出する。
【００１２】
前記位置決め部材３には、前記収納孔１０１と連通する挿入孔３２が形成される。挿入孔３２の４つの角部は、図１において符号Ａ１で示されるように切り欠かれている。位置決め部材３の前表面の長さ方向両端部には、一対の凹溝３０が形成される。前記位置決め部材３及び絶縁性本体１の対向する４つの角部にはそれぞれ、互いに係合する突出部３１と凹溝１３とが設けられる。
【００１３】
図３〜図７に示すように、前記係合部材４には、前記規制スペース１０３に位置する係合部４２と、前記当接壁１２２に対応する当接部４１１と、前記係合部４２及び当接部４１１の間に連接される連接部４１２と、が設けられる。前記連接部４１２と当接部４１１とは、Ｌ字状の実装部４１を形成する。前記一対の阻止部１２３は、前記連接部４１２を挟持するように前記連接部４１２の対向する両側に配置される。
【００１４】
ハウジング５の対向する側壁の両側には、一対の係合片５１が設けられる。
【００１５】
図１〜図８に示すように、前記電気コネクタ１００を組み立てる時、複数の接触端子２が、絶縁性本体１の端子溝１１に挿入される。前記接触端子２の接触部２３１は、前記収納孔１０１に向かって突出する。前記係合部材４は、前記絶縁性本体１に取り付けられる。前記係合部材４のＬ字状の実装部４１が、前記実装溝１２１に実装され、当接壁１２２に当接する。前記当接部４１１と係合部４２とが、異なる平面に位置する。前記係合部材４の係合部４２が、前記規制スペース１０３に収納される。前記一対の係合部４２は、前記収納孔１０１の対向する両側に配置される。前記係合部材４の係合部４２が、前記接触端子２の接触部２３１の前方に配置される。前記位置決め部材３が前記絶縁性本体１の前端に取り付けられる。前記位置決め部材３と絶縁性本体１とは、互いに係合する突出部３１と凹溝１３とによって、係合される。前記位置決め部材３の挿入孔３２が、前記絶縁性本体１の収納孔１０１と連通する。ハウジング５は、絶縁性本体１を包囲する。ハウジング５の係合片５１それぞれが、絶縁性本体１の凹所１０及び位置決め部材３の凹溝３０と係合する。前記規制スペース１０３が、前記絶縁性本体１と前記位置決め部材３との間に形成される。
【００１６】
相手プラグコネクタ６００は、外表面から窪んで形成される凹型の係止部６１を有する相手プラグ本体６と、前記相手プラグ本体６に固着され、電気コネクタ１００の接触部２３１と接続するための接続部７１が設けられる複数のプラグ端子７と、を備える。
【００１７】
図１、図５、図７及び図８に示すように、前記相手プラグコネクタ６００が挿入孔３２に向けて前記電気コネクタ１００に挿入される時、係合部材４の係合部４２は、前記プラグコネクタ６００の挿入によって、挿入方向と直交する平面である係合面において弾性的に広がって、前記プラグコネクタ６００が挿入されると、相手プラグコネクタ６００の係止部６１と係合する。相手プラグコネクタ６００が挿入されると、前記一対の係合部４２の間の角度が大きくなる。前記プラグコネクタ６００が前記電気コネクタ１００から退出する時、前記係合部４２が前記係合面内で弾性復帰する。広がった係合部４２は、ハウジング５によって、保護され、弾性を失うことを防止する。
【００１８】
本発明では、相手プラグコネクタ６００が前記電気コネクタ１００から退出する時、前記係合部材４の当接部４１１が前記絶縁性本体１の当接壁１２２に当接する。これにより、係合部材４が前記絶縁性本体１から外れることを防止できる。このような係合部材４は、相手プラグコネクタ６００と安定的に係合できる。
【００１９】
以上、本発明について好ましい実施形態を参照して詳細に説明したが、実施形態はあくまでも例示的なものであり、これらに限定されるものではない。また上述の説明において、本発明に基づき成し得る細部の修正或いは変更などは、いずれも本発明の技術的範囲に属するものである。
【符号の説明】
【００２０】
１００  電気コネクタ
１  絶縁性本体
１０  凹所
１０１  収納孔
１０３  規制スペース
１１  端子溝
１２  側壁
１２１  実装溝
１２２  当接壁
１２３  阻止部
１３  凹溝
２  接触端子
２０１  検出端子
２０２  パワー端子
２０３  接地端子
２１  固定部
２２  連接部
２３  接続部
２３１  接触部
２４  半田接続部
３  位置決め部材
３０  凹溝
３１  突出部
３２  挿入孔
４  係合部材
４１  実装部
４１１  当接部
４１２  連接部
４２  係合部
５  ハウジング
５１  係合片
６００  プラグコネクタ
６    相手プラグ本体
６１  係止部
７    プラグ端子
７１  接続部
【図１】
2013045767.tif 000003
【図２】
2013045767.tif 000004
【図３】
2013045767.tif 000005
【図４】
2013045767.tif 000006
【図５】
2013045767.tif 000007
【図６】
2013045767.tif 000008
【図７】
2013045767.tif 000009
【図８】
2013045767.tif 000010